(57)【特許請求の範囲】
【請求項１】
被監視者の近隣者の情報を監視者に通知する近隣者通知プログラムにおいて、
コンピュータを、
前記被監視者が所持する、前記近隣者が所持する無線ＩＤタグを検出する被監視者端末から、前記無線ＩＤタグのタグ情報を受信し、タグ情報記憶手段に格納するタグ情報受信手段、
前記タグ情報に対応して、前記近隣者の近隣者情報が記憶された近隣者情報記憶手段から、前記タグ情報受信手段が受信した前記タグ情報に対応する前記近隣者情報を取得する近隣者情報取得手段、
前記近隣者情報を含むメッセージを前記監視者が所持する監視者端末に送信するメッセージ送信手段、
前記タグ情報記憶手段に所定時間同じ前記タグ情報が記憶されている場合、前記メッセージに、前記被監視者は前記タグ情報を有する前記近隣者と一緒にいる旨の情報を含める情報付加手段、
として機能させることを特徴とする近隣者通知プログラム。
【請求項２】
前記情報付加手段は、前記タグ情報記憶手段に前記タグ情報が記憶されているが、所定時間記憶されていない場合、前記メッセージに、前記被監視者の周りに前記タグ情報を有する近隣者がいるが、一緒に行動していない旨の情報を含める、
ことを特徴とする請求項１記載の近隣者通知プログラム。
【請求項３】
前記情報付加手段は、前記タグ情報記憶手段に前記タグ情報が一定時間記憶されなかった場合、前記メッセージに、前記被監視者は一人でいる旨の情報を含める、
ことを特徴とする請求項１記載の近隣者通知プログラム。
【請求項４】
被監視者の近隣者の情報を監視者に通知する近隣者通知装置の近隣者通知方法において、
タグ情報受信手段によって、前記被監視者が所持する、前記近隣者が所持する無線ＩＤタグを検出する被監視者端末から、前記無線ＩＤタグのタグ情報を受信して、タグ情報記憶手段に格納し、
近隣者情報取得手段によって、前記タグ情報に対応して、前記近隣者の近隣者情報が記憶された近隣者情報記憶手段から、前記タグ情報受信手段が受信した前記タグ情報に対応する前記近隣者情報を取得し、
情報付加手段によって、前記タグ情報記憶手段に所定時間同じ前記タグ情報が記憶されている場合、前記近隣者情報を含むメッセージに、前記被監視者は前記タグ情報を有する前記近隣者と一緒にいる旨の情報を含め、
メッセージ送信手段によって、前記メッセージを前記監視者が所持する監視者端末に送信する、
ことを特徴とする近隣者通知方法。
【発明の詳細な説明】
【技術分野】
【０００１】
本発明は、近隣者通知プログラムおよび近隣者通知方法に関し、特に被監視者の近隣者の情報を監視者に通知する近隣者通知プログラムおよび近隣者通知方法に関する。
【背景技術】
【０００２】
近年、児童の誘拐や傷害事件が多発しており、このような犯罪を防止する様々な工夫が行なわれている。例えば、児童の外出時の安否確認を行なうため、児童の位置情報を保護者へ通知し、また保護者のメッセージを児童へ送信する児童アシストシステムがある（例えば、特許文献１参照）。また、児童にＩＣ（Integrated Circuit）カードを持たせて、児童が特定の場所に到着したかなどを通知する塾生管理システムがある（例えば、特許文献２）。また、児童の行動情報を登録して、所定時間に学校に到着しているか判断し、保護者と学校に通報を行なう児童防犯通報方法がある（例えば、特許文献３）。
【特許文献１】特開２００３−１６８１９４号公報
【特許文献２】特開２００２−２６１９６９号公報
【特許文献３】特開２００５−１８２４６８号公報
【発明の開示】
【発明が解決しようとする課題】
【０００３】
しかしながら、特許文献１〜３では、監視者（保護者）は、被監視者（児童）の位置情報のみ知ることができ、被監視者がどのような人と一緒にいるのか、または一緒にいないのか分からないという問題点があった。
【０００４】
本発明は、このような点に鑑みてなされたものであり、監視者に被監視者の近隣者の情報を通知することによって、監視者が被監視者の周りにどのような近隣者がいるのか知ることができる近隣者通知プログラムおよび近隣者通知方法を提供することを目的とする。
【課題を解決するための手段】
【０００５】
被監視者の近隣者の情報を監視者に通知する近隣者通知プログラムにおいて、コンピュータを、前記被監視者が所持する、前記近隣者が所持する無線ＩＤタグを検出する被監視者端末から、前記無線ＩＤ（Identification）タグのタグ情報を受信し、タグ情報記憶手段に格納するタグ情報受信手段、前記タグ情報に対応して、前記近隣者の近隣者情報が記憶された近隣者情報記憶手段から、前記タグ情報受信手段が受信した前記タグ情報に対応する前記近隣者情報を取得する近隣者情報取得手段、前記近隣者情報を含むメッセージを前記監視者が所持する監視者端末に送信するメッセージ送信手段、前記タグ情報記憶手段に所定時間同じ前記タグ情報が記憶されている場合、前記メッセージに、前記被監視者は前記タグ情報を有する前記近隣者と一緒にいる旨の情報を含める情報付加手段、として機能させることを特徴とする近隣者通知プログラムが提供される。
【０００６】
また、被監視者の近隣者の情報を監視者に通知する近隣者通知装置の近隣者通知方法において、タグ情報受信手段によって、前記被監視者が所持する、前記近隣者が所持する無線ＩＤタグを検出する被監視者端末から、前記無線ＩＤタグのタグ情報を受信して、タグ情報記憶手段に格納し、近隣者情報取得手段によって、前記タグ情報に対応して、前記近隣者の近隣者情報が記憶された近隣者情報記憶手段から、前記タグ情報受信手段が受信した前記タグ情報に対応する前記近隣者情報を取得し、情報付加手段によって、前記タグ情報記憶手段に所定時間同じ前記タグ情報が記憶されている場合、前記近隣者情報を含むメッセージに、前記被監視者は前記タグ情報を有する前記近隣者と一緒にいる旨の情報を含め、メッセージ送信手段によって、前記メッセージを前記監視者が所持する監視者端末に送信する、ことを特徴とする近隣者通知方法が提供される。
これにより、被監視者の周りにいる近隣者の近隣者情報が監視者に通知される。
【発明の効果】
【０００７】
本発明の近隣者通知プログラムでは、被監視者端末から、被監視者の周りにいる近隣者の所持する無線ＩＤタグのタグ情報を受信する。そして、近隣者情報記憶手段から、受信したタグ情報に対応する近隣者情報を取得し、取得した近隣者情報を含むメッセージを監視者の監視者端末に送信するようにした。
【０００８】
これによって、被監視者の周りにいる近隣者の近隣者情報が監視者に通知されるので、監視者は、被監視者の周りにどのような近隣者がいるのか知ることができる。また、被監視者の周りに近隣者がいないことを知ることができる。
【発明を実施するための最良の形態】
【０００９】
以下、本発明の原理を図面を参照して詳細に説明する。
図１は、近隣者通知プログラムの概要を説明する図である。図にはコンピュータ１、被監視者端末２、監視者端末３、および無線ＩＤタグ４ａ、４ｂが示してある。被監視者端末２は、被監視者が所持する端末である。監視者端末３は、被監視者を監視する監視者が所持する端末である。無線ＩＤタグ４ａ，４ｂは、被監視者の周りにどのような人がいるのか検出するために、近隣者が所持する無線ＩＤタグである。
【００１０】
コンピュータ１は、近隣者通知プログラムの実行によって、タグ情報受信手段１ａ、近隣者情報取得手段１ｃ、およびメッセージ送信手段１ｄの機能を有している。また、コンピュータ１は、近隣者が所持している無線ＩＤタグ４ａ，４ｂのタグ情報に対応して、近隣者の近隣者情報を記憶した近隣者情報記憶手段１ｂを有している。タグ情報は、無線ＩＤタグ４ａ，４ｂのタグＩＤなどであり、近隣者情報は、近隣者の氏名などである。例えば、無線ＩＤタグ４ａ，４ｂを所持する近隣者の氏名をＡ，Ｂ、タグＩＤをＡ１，Ｂ１とすると、近隣者情報記憶手段１ｂには、ＡとＡ１、ＢとＢ１が対応付けられて記憶されている。
【００１１】
被監視者端末２は、所定の範囲に無線ＩＤタグ４ａ，４ｂが近づくと、そのタグ情報を取得する。被監視者端末２は、取得したタグ情報をコンピュータ１に無線送信する。
コンピュータ１のタグ情報受信手段１ａは、被監視者端末２からタグ情報を受信する。
【００１２】
近隣者情報取得手段１ｃは、近隣者情報記憶手段１ｂから、受信されたタグ情報に対応する近隣者情報を取得する。
メッセージ送信手段１ｄは、近隣者情報取得手段１ｃによって取得された近隣者情報を含むメッセージを監視者端末３に送信する。近隣者情報は、例えば上記で説明したように、近隣者の氏名などである。したがって、メッセージには、例えば被監視者の周りには、Ａ，Ｂがいる旨の内容が示されている。これによって、監視者は、被監視者の周りにどのような人がいるかを知ることができる。
【００１３】
なお、タグ情報受信手段１ａが、被監視者端末２から無線ＩＤタグ４ａ，４ｂのタグ情報を受信しなかった場合、近隣者情報取得手段１ｃは、近隣者情報記憶手段１ｂから近隣者情報を取得できない。この場合、メッセージには、被監視者の周りには、近隣者がいない旨の内容が示される。
【００１４】
このように、被監視者端末２から被監視者の周りにいる近隣者の所持する無線ＩＤタグ４ａ，４ｂのタグ情報を受信する。そして、近隣者情報記憶手段１ｂから、受信したタグ情報に対応する近隣者情報を取得し、取得した近隣者情報を含むメッセージを監視者の監視者端末３に送信するようにした。
【００１５】
これによって、被監視者の周りにいる近隣者の近隣者情報が監視者に通知されるので、監視者は、どのような近隣者が被監視者の近隣にいるかを知ることができる。また、被監視者の周りに近隣者がいないことを知ることができる。また、保護者は、被監視者の周りにどのような近隣者がいるかを知ることができることによって、安心することができる。
【００１６】
次に、本発明の実施の形態を図面を参照して詳細に説明する。
図２は、近隣者通知装置のシステム構成例を示す図である。図に示す近隣者通知装置１０は、管理センタ１０ａによって管理されている。近隣者通知装置１０は、ネットワーク５０ａ，５０ｂと接続されている。ネットワーク５０ａ，５０ｂは、図において別々に示してあるが、互いに接続されており、１つのネットワークを形成している。ネットワーク５０ａ，５０ｂは、例えばインターネットである。
【００１７】
近隣者通知装置１０は、児童用端末３０〜３４から、周囲に存在している児童用端末３０〜３４の情報を取得する。近隣者通知装置１０は、児童用端末３０〜３４から受信した情報に基づいて、ある児童の周囲には、どのような児童が存在しているか、または周囲に誰も存在していないかを検出する。近隣者通知装置１０は、検出した結果を児童の保護者が所持している保護者用端末４０に送信する。
【００１８】
児童用端末３０〜３４は、保護者に監視される児童が所持する端末である。児童用端末３０〜３４は、例えば基地局と無線通信し、ネットワーク５０ａを介して、近隣者通知装置１０と情報のやり取りを行なう。
【００１９】
児童用端末３０〜３４は、無線ＩＤタグを内蔵している。無線ＩＤタグは、固有のタグＩＤ（タグ番号）の情報を含む電波を発する。児童用端末３０〜３４は、周囲に存在する児童用端末３０〜３４の無線ＩＤタグによる電波をセンシングし、センシングした電波に含まれるタグ番号を近隣者通知装置１０へ送信する。
【００２０】
無線ＩＤタグが発する電波の到達距離は決まっている。したがって、例えば児童用端末３０は、図に示す範囲６０内に存在している児童用端末３１〜３３の無線ＩＤタグの電波のみ受信することができる。これに対し、児童用端末３０は、範囲６０外に存在している児童用端末３４の無線ＩＤタグの電波を受信することができない。
【００２１】
保護者用端末４０は、児童の保護者が所持する端末である。保護者用端末４０は、例えば基地局と無線通信し、ネットワーク５０ｂを介して、近隣者通知装置１０と情報のやり取りを行なう。保護者用端末４０には、例えば携帯電話などを適用することができる。
【００２２】
児童用端末３０〜３４は、周囲の無線ＩＤタグの電波をセンシングし、周囲に存在している児童用端末３０〜３４の無線ＩＤタグのタグ番号を取得する。例えば、児童用端末３０は、児童用端末３１〜３３の無線ＩＤタグのタグ番号を取得する。児童用端末３０は、取得した無線ＩＤタグのタグ番号を近隣者通知装置１０に送信する。
【００２３】
近隣者通知装置１０は、受信したタグ番号から、児童用端末３０を所持する児童の周囲に存在する児童（児童用端末３１〜３４を所持する児童）の情報（例えば、氏名）を取得する。そして、近隣者通知装置１０は、児童用端末３０を所持する児童の保護者に対し、児童の周囲に存在している児童の情報を送信する。
【００２４】
これにより、児童用端末３０を所持する児童の保護者は、自分の子供の周囲には、児童用端末３１〜３３を所持する児童が存在していることを認識することができる。
また、範囲６０内に児童用端末３１〜３３が存在せず、児童用端末３０が周囲の児童用端末３１〜３４のタグ番号を取得できなかった場合には、近隣者通知装置１０は、児童用端末３０の周囲には、誰も存在していないことを保護者に通知する。これにより、保護者は、自分の子供の周りには、誰もいないことを認識することができる。
【００２５】
なお、保護者用端末４０も無線ＩＤタグを内蔵していてもよい。この場合、保護者用端末４０も、児童の周囲にいる者として、近隣者通知装置１０によって検出されることになる。
【００２６】
また、児童用端末３０〜３４は、自分の保護者のタグ番号を受信した場合、周囲の情報を保護者に通知しないよう近隣者通知装置１０に要求することもできる。近隣者通知装置１０は、児童用端末３０〜３４からこの要求を受けると、保護者へ児童の周囲の情報を通知することを停止する。保護者が自分の子供のそばにいるとき、保護者は、子供の周囲の情報を知る必要がないからである。
【００２７】
また、近隣者通知装置１０が、児童用端末３０〜３４から受信したタグ番号より、児童の周囲に児童の保護者がいるか否か判断して、保護者へ児童の周囲の情報を通知することを停止することもできる。
【００２８】
次に、図２に示す近隣者通知装置１０と児童用端末３０のハードウェア構成例について説明する。まず、近隣者通知装置１０のハードウェア構成例について説明する。
図３は、近隣者通知装置のハードウェア構成例を示した図である。近隣者通知装置１０は、例えばサーバなどのコンピュータによって構成される。図に示すように、近隣者通知装置１０は、ＣＰＵ（Central Processing Unit）１１によって装置全体が制御されている。ＣＰＵ１１には、バス１７を介してＲＡＭ（Random Access Memory）１２、ＨＤＤ（Hard Disk Drive）１３、グラフィック処理装置１４、入力インターフェース１５、および通信インターフェース１６が接続されている。
【００２９】
ＲＡＭ１２には、ＣＰＵ１１に実行させるＯＳ（Operating System）のプログラムやアプリケーションプログラムの少なくとも一部が一時的に格納される。また、ＲＡＭ１２には、ＣＰＵ１１による処理に必要な各種データが保存される。
【００３０】
ＨＤＤ１３には、ＯＳ、アプリケーションプログラムや各種データが格納される。
グラフィック処理装置１４には、モニタ１８が接続されている。グラフィック処理装置１４は、ＣＰＵ１１からの命令に従って、画像をモニタ１８に表示する。
【００３１】
入力インターフェース１５には、キーボード１９とマウス２０とが接続されている。入力インターフェース１５は、キーボード１９やマウス２０から送られてくる信号を、バス１７を介してＣＰＵ１１に送信する。
【００３２】
通信インターフェース１６は、ＣＰＵ１１の指示に応じて、ネットワーク５０ａ，５０ｂとデータの授受を行なう。
次に、図２に示す児童用端末３０のハードウェア構成例について説明する。
【００３３】
図４は、児童用端末のハードウェア構成例を示した図である。図に示すように、児童用端末３０は、ＣＰＵ３０ａによって装置全体が制御されている。ＣＰＵ３０ａには、バス３０ｈを介して、ＲＯＭ（Read Only Memory）やＲＡＭなどの記憶装置で構成される記憶部３０ｂ、無線ＩＤタグセンサ部３０ｃ、無線ＩＤタグ部３０ｄ、制御ボタン３０ｅ、ＬＥＤ３０ｆ、および通信部３０ｇが接続されている。
【００３４】
記憶部３０ｂには、ＣＰＵ３０ａに実行させるＯＳのプログラムやアプリケーションプログラムが格納される。また、記憶部３０ｂには、ＣＰＵ３０ａによる処理に必要な各種データが保存される。
【００３５】
無線ＩＤタグセンサ部３０ｃは、他の児童用端末３１〜３４に搭載されている無線ＩＤタグの電波を受信する。
無線ＩＤタグ部３０ｄは、無線ＩＤタグを有している。無線ＩＤタグは、上記で説明したように、固有のタグ番号を有している。無線ＩＤタグには、例えば３１５ＭＨｚ帯のアクティブタグ方式がある。この無線ＩＤタグは、電池を内蔵しており、自ら情報のやり取りを行なうことができる。電波の到達距離は数十ｍである。また、無線ＩＤタグには、ＵＨＦ帯の高出力タイプのものがある。電波の周波数は９５０ＭＨｚ帯で、電波の到達距離は約５ｍである。
【００３６】
制御ボタン３０ｅは、児童が自分の近隣者の情報を保護者へ通知したい場合に押下されるボタンである。ＣＰＵ３０ａは、無線ＩＤタグセンサ部３０ｃによって、周期的に近隣者の無線ＩＤタグのタグ番号を取得し、近隣者通知装置１０に送信するが、児童が任意に、近隣者の情報を保護者に通知したい場合がある。この場合、児童は、制御ボタン３０ｅを押下することによって、任意に周囲の情報（近隣者情報）を近隣者通知装置１０に送信することができる。
【００３７】
ＬＥＤ３０ｆは、保護者が所持する保護者用端末４０からのメッセージを表示する。例えば、ＬＥＤ３０ｆの点灯は、‘家へ帰りなさい’というメッセージに対応しているとする。保護者は、児童を家に帰らせたい場合、ＬＥＤ３０ｆが点灯するように保護者用端末４０を操作する。ＣＰＵ３０ａは、保護者用端末４０からの指示によって、ＬＥＤ３０ｆを点灯し、児童は、ＬＥＤ３０ｆの点灯によって、家に帰らなければならないことを認識できる。同様に、保護者は、保護者用端末４０の操作によって、ＬＥＤ３０ｆを消灯することもできる。
【００３８】
通信部３０ｇは、ＣＰＵ３０ａの指示に応じて基地局と無線通信を行ない、ネットワーク５０ａを介して、近隣者通知装置１０と情報のやり取りを行なう。
なお、上記では、児童用端末３０のハードウェア構成例を説明したが、児童用端末３１〜３４も同様のハードウェア構成を有する。
【００３９】
また、安否確認（近隣者情報）が不要な児童の場合、児童用端末３０〜３４は、無線ＩＤタグ部３０ｄのみを有することになる。この児童は、安否確認の必要な児童の近隣者情報としてのみ検出されることになる。
【００４０】
また、児童用端末３０〜３４は、児童が携帯しやすい形状のものがよい。例えば、ランドセルや服のポケットに入るよう、カード形状にすることが好ましい。
また、上述したように、安否確認の不要な児童の場合、児童用端末３０〜３４は、無線ＩＤタグ部３０ｄのみで構成できるので、小型化でき、より携帯しやすくなる。
【００４１】
また、携帯電話などの情報端末に、無線ＩＤタグセンサ部３０ｃおよび無線ＩＤタグ部３０ｄを追加して、児童用端末３１〜３４を構成することもできる。
次に、近隣者通知装置１０で管理される各種情報について説明する。まず、近隣者通知装置１０で管理される保護者の情報について説明する。
【００４２】
図５は、保護者情報ＤＢのデータ構成例を示した図である。図の保護者情報ＤＢ（データベース）７１は、例えば近隣者通知装置１０のＨＤＤ１３に構築される。保護者情報ＤＢ７１には、児童の近隣者情報を通知する保護者の情報が格納される。
【００４３】
保護者情報ＤＢ７１は、図に示すように、管理番号、氏名、携帯番号、メールアドレス、安否確認児童タグ番号、第三者委託、および第三者委託管理番号の欄を有している。
管理番号の欄には、児童の近隣者情報を受ける保護者に付与された管理番号が格納される。管理番号は、例えば保護者と児童が管理センタ１０ａのサービスに入会したときに付与される。
【００４４】
氏名の欄には、児童の近隣者情報の通知を受ける保護者の氏名が格納される。
携帯番号の欄には、保護者が所持する保護者用端末４０の電話番号が格納される。
メールアドレスの欄には、保護者が所持する保護者用端末４０のメールアドレスが格納される。児童の近隣者情報をメールアドレスに送信することによって、児童の近隣者情報を保護者に通知することができる。
【００４５】
安否確認児童タグ番号の欄には、保護者の近隣情報を通知して欲しい児童のタグ番号が格納される。例えば、保護者の子供が所持する児童用端末３０〜３４の無線ＩＤタグのタグ番号が格納される。
【００４６】
第三者委託の欄には、児童の近隣者情報を、第三者に通知するか否かの情報が格納される。例えば、この欄に、‘無効’という旨の情報が格納されていれば、児童の近隣者情報は、第三者に通知されず、保護者に通知される。一方、‘有効’という旨の情報が格納されていれば、児童の近隣者情報は、保護者ではなく、第三者に通知される。このように、第三者に児童の近隣者情報を通知することによって、例えば保護者が児童を監視できない状況にあっても、第三者によって監視することができる。なお、近隣者情報を通知すべき第三者は、例えば保護者がこのサービスを受ける契約をするときに、保護者によって指定される。
【００４７】
第三者委託管理番号の欄には、児童の近隣者情報を通知すべき第三者の管理番号が格納される。
例えば、図の例において、‘鈴木太郎’の管理番号は‘２’である。‘鈴木太郎’の所持する保護者用端末４０の携帯番号は、‘xxx-xxxx-2223’である。メールアドレスは、‘xx@xxxxxxx’である。‘鈴木太郎’の近隣者情報を通知して欲しい児童の無線ＩＤタグのタグ番号は、‘０００Ｃ’である。第三者委託は、‘有効’となっており、近隣者情報を通知して欲しい人は、管理番号が‘３’である‘高橋一’である。
【００４８】
次に、近隣者通知装置１０で管理される個人情報について説明する。
図６は、個人情報ＤＢのデータ構成例を示した図である。図の個人情報ＤＢ７２は、例えば近隣者通知装置１０のＨＤＤ１３に構築される。個人情報ＤＢ７２には、管理センタ１０ａのサービスを受ける者の個人情報および無線ＩＤタグのみを所持する者（近隣者としてのみ登録される者）の個人情報が格納される。
【００４９】
個人情報ＤＢ７２は、図に示すように、管理番号、氏名、ＩＤタグ番号、通信用番号、保護者管理番号、および特別ＩＤタグ番号の欄を有している。
管理番号の欄には、個人情報ＤＢ７２に登録される者に付与される管理番号が格納される。
【００５０】
氏名の欄には、個人情報ＤＢ７２に登録される者の氏名が格納される。
ＩＤタグ番号の欄には、児童の所持する児童用端末３０〜３４の無線ＩＤタグのタグ番号、保護者が所持する保護者用端末４０の無線ＩＤタグのタグ番号、および無線ＩＤタグのみを所持する者のタグ番号が格納される。
【００５１】
通信用番号の欄には、児童の所持する児童用端末３０〜３４と通信するための番号が格納される。例えば、近隣者通知装置１０は、所定の情報を通信用番号の欄に格納されている番号に送信することによって、児童用端末３０〜４０に送信することができる。
【００５２】
保護者管理番号の欄には、児童の保護者の管理番号が格納される。また、保護者の場合には、保護者に付与された管理番号が格納される。
特別ＩＤタグ番号の欄には、近隣者情報の通知を停止する無線ＩＤタグのタグ番号が格納される。この特別ＩＤタグ番号の欄には、例えば児童の保護者が所持する保護者用端末４０の無線ＩＤタグのタグ番号が格納される。したがって、例えば児童用端末３０〜３４が、特別ＩＤタグ番号の欄のタグ番号を受信したとすると、近隣者通知装置１０は、近隣者情報の保護者への通知を停止する。つまり、児童用端末３０〜３４によって、特別ＩＤタグ番号のタグ番号が検出され場合、児童の近くには、保護者が存在していると判断し、保護者への近隣者情報の通知を停止する。
【００５３】
例えば、図の例において、‘富士太郎’‘富士花子’は、図５で示した‘富士陽子’の子供とする。この‘富士太郎’の管理番号は‘１’である。‘富士花子’の管理番号は‘２’である。‘富士太郎’のタグ番号は‘０００Ａ’である。‘富士花子’のタグ番号は‘０００Ｂ’である。‘富士太郎’の通信用番号は、‘xxx-xxxx-1111’である。‘富士花子’の通信用番号は、‘xxx-xxxx-1234’である。
【００５４】
‘富士太郎’と‘富士花子’の保護者管理番号は、‘１’である。ここで、図５で示した保護者情報ＤＢ７１から、管理番号が‘１’の保護者は‘富士陽子’であるので、‘富士太郎’と‘富士花子’の保護者は、‘富士陽子’であることが分かる。
【００５５】
‘富士太郎’と‘富士花子’の特別ＩＤタグ番号は‘００１Ｅ’である。ここで、‘富士陽子’が所持する保護者用端末４０のタグ番号を‘００１Ｅ’とする。この場合、‘富士太郎’と‘富士花子’が所持する児童用端末３０〜３４が、‘００１Ｅ’を検出すると、近隣者通知装置１０は、‘富士太郎’と‘富士花子’の保護者である‘富士陽子’に対して、近隣者情報の通知を停止する。つまり、保護者が子供の近くにいる場合には、近隣者通知装置１０は、近隣者情報を保護者に通知しないことになる。
【００５６】
なお、個人情報ＤＢ７２は、近隣者情報ＤＢとして機能することができる。つまり、近隣者通知装置１０は、個人情報ＤＢ７２を参照することによって、監視される児童の周囲にいる人の情報（例えば、氏名）を取得することができる。
【００５７】
また、付加機能として、個人情報ＤＢ７２には、保護者に通知する近隣者情報として、児童の氏名を匿名で通知できるよう、匿名の情報を格納するようにしてもよい。また、近隣者情報として、周囲に存在する人の年齢も保護者に通知できるよう、年齢も格納するようにしてもよい。
【００５８】
次に、近隣者通知装置１０で管理されるグルーピング管理情報について説明する。保護者は、複数の児童をグループで管理したい場合がある。例えば、保護者は、児童がグループとともに行動しているのか、グループと離れて行動しているのか知りたい場合がある。この場合、近隣者通知装置１０は、児童をグルーピング管理情報によって管理し、保護者に対して児童がグループから離れて行動しているのか否かの情報を通知できるようにする。
【００５９】
図７は、グルーピング管理情報ＤＢのデータ構成例を示した図である。図のグルーピング管理情報ＤＢ７３は、例えば近隣者通知装置１０のＨＤＤ１３に構築される。グルーピング管理情報ＤＢ７３には、グループ管理される児童の情報が格納される。
【００６０】
グルーピング管理情報ＤＢ７３は、図に示すように、管理番号、保護者管理番号、グループ内無線ＩＤタグ番号１、グループ内無線ＩＤタグ番号２、…、およびグループ内無線ＩＤタグ番号ｎの欄を有している。
【００６１】
管理番号の欄には、グループごとに付与される管理番号が格納される。
保護者管理番号の欄には、グループ管理される児童の近隣者情報を通知する保護者の管理番号が格納される。
【００６２】
グループ内無線ＩＤタグ番号１、グループ内無線ＩＤタグ番号２、…、およびグループ内無線ＩＤタグ番号ｎの欄には、グループ管理される児童のタグ番号が格納される。
例えば、図の例において、グループ管理番号‘１’の保護者管理番号は、‘３’、‘４’である。したがって、図５で示した保護者情報ＤＢ７１の管理番号‘３’、‘４’から、グループ管理される児童の保護者は、‘高橋一’‘田中二郎’であることが分かる。
【００６３】
グループ内無線ＩＤタグ番号１〜３は、‘０００Ａ’‘０００Ｃ’‘０００Ｄ’である。したがって、グループ管理される児童は、図６で示した個人情報ＤＢ７２のＩＤタグ番号から、‘富士太郎’‘鈴木一郎’‘高橋秀樹’であることが分かる。
【００６４】
次に、近隣者通知装置１０でロギングされる情報について説明する。近隣者通知装置１０は、児童用端末３０〜３４から送信されてくるタグ番号を、児童ごとにロギングしている。これにより、児童の周囲に存在している児童用端末３０〜３４のタグ番号が分かり、図６で示した個人情報ＤＢ７２から、児童の周囲に存在している児童の氏名が分かる。
【００６５】
図８は、ログＤＢのデータ構成例を示した図である。図のログＤＢ７４は、例えば近隣者通知装置１０のＨＤＤ１３に構築される。ログＤＢ７４には、監視される児童が所持する児童用端末３０〜３４が検出した無線ＩＤタグのタグ番号が格納される。
【００６６】
ログＤＢ７４は、図に示すように、シーケンス番号、日付、時刻、および近隣者無線ＩＤタグ番号の欄を有している。
シーケンス番号の欄には、児童用端末からタグ番号を受信した順番を示すシーケンス番号が格納される。シーケンス番号は、タグ番号を受信した順に、１インクリメントして付与される。
【００６７】
日付の欄には、児童用端末からタグ番号を受信したときの日付が格納される。
時刻の欄には、児童用端末からタグ番号を受信したときの時刻が格納される。
近隣者無線ＩＤタグ番号の欄には、児童用端末から受信したタグ番号が格納される。
【００６８】
例えば、図の例において、近隣者通知装置１０は、３分ごとにタグ番号をログＤＢ７４に格納していることが分かる。シーケンス番号‘２’では、‘2005/8/29’の時刻‘１５：０３’に、タグ番号‘０００Ｂ’、‘０００Ｃ’を受信していることが分かる。つまり、‘2005/8/29’の時刻‘１５：０３’においては、ログＤＢ７４によって管理されている児童の周囲には、タグ番号‘０００Ｂ’、‘０００Ｃ’を有する児童が存在していたことが分かる。
【００６９】
なお、図中の‘−’は、タグ番号が受信されなかったことを示す。つまり、‘−’の場合、児童の周囲には、人が存在していなかったことを示す。
次に、保護者用端末４０の具備する表示装置に表示される、近隣者情報の画面例について説明する。
【００７０】
図９は、児童が一人で行動している場合の保護者用端末に表示される近隣者情報の一例を示した図である。図の画面８１は、‘富士太郎’が一人で行動している場合の、保護者用端末４０に表示される画面例を示している。
【００７１】
近隣者通知装置１０は、所定時間、‘富士太郎’の周りに人が存在しないと検出した場合、‘富士太郎’は、一人で行動していると判断する。すなわち、所定時間経過しても、‘富士太郎’の児童用端末からタグ番号を受信しなかった場合、近隣者通知装置１０は、‘富士太郎’は、一人で行動していると判断する。
【００７２】
近隣者通知装置１０は、判断した近隣者情報を保護者の保護者用端末４０に送信し、保護者用端末４０の表示装置に画面８１を表示させる。
図１０は、児童が他の児童とともに行動している場合の保護者用端末に表示される近隣者情報の一例を示した図である。図の画面８２は、‘富士太郎’が、‘富士花子’‘高橋秀樹’‘山口達也’と一緒に行動している場合の、保護者用端末４０に表示される画面例を示している。
【００７３】
近隣者通知装置１０は、所定時間、‘富士太郎’の周りに、‘富士花子’‘高橋秀樹’‘山口達也’が存在していると検出した場合、‘富士太郎’は、その周りにいる‘富士花子’‘高橋秀樹’‘山口達也’と一緒に行動していると判断する。すなわち、近隣者通知装置１０は、‘富士太郎’の児童用端末から、‘富士花子’‘高橋秀樹’‘山口達也’のタグ番号を所定時間受信し続けた場合、‘富士太郎’は、‘富士花子’‘高橋秀樹’‘山口達也’と一緒に行動していると判断する。
【００７４】
近隣者通知装置１０は、判断した近隣者情報を保護者の保護者用端末４０に送信し、保護者用端末４０の表示装置に画面８２を表示させる。
図１１は、児童の周りに人がいるが、一緒に行動していない場合の保護者用端末に表示される近隣者情報の一例を示した図である。図の画面８３は、‘富士太郎’の周りには、‘ＸＸＸＸ’、‘ＹＹＹＹ’が存在するが、一緒に行動していない場合の、保護者用端末４０に表示される画面例を示している。
【００７５】
近隣者通知装置１０は、‘富士太郎’の周りに、‘ＸＸＸＸ’‘ＹＹＹＹ’が存在していると検出したが、その存在している時間が所定時間経過していない場合、‘富士太郎’は、周りに‘ＸＸＸＸ’‘ＹＹＹＹ’がいるが、一緒に行動していないと判断する。すなわち、近隣者通知装置１０は、‘富士太郎’の児童用端末から、‘ＸＸＸＸ’‘ＹＹＹＹ’のタグ番号を受信しているが、受信する時間が所定時間を経過していない場合、‘富士太郎’の周りに‘ＸＸＸＸ’‘ＹＹＹＹ’がいるが、一緒に行動していないと判断する。
【００７６】
近隣者通知装置１０は、判断した近隣者情報を、保護者の保護者用端末４０に送信し、保護者用端末４０の表示装置に画面８３を表示させる。
なお、‘ＸＸＸＸ’‘ＹＹＹＹ’のタグ番号を所定時間連続して受信し続けた場合、近隣者通知装置１０は、図１０で説明したように、‘富士太郎’は、‘ＸＸＸＸ’‘ＹＹＹＹ’と一緒に行動していると判断することになる。
【００７７】
図１２は、児童の周りに人はいないが、一人で行動していない場合の保護者用端末に表示される近隣者情報の一例を示した図である。図の画面８４は、‘富士太郎’の周りに人がいない場合の保護者用端末４０に表示される画面例を示している。
【００７８】
近隣者通知装置１０は、‘富士太郎’の周りに人がいないが、その状態がまだ所定時間経過していない場合、‘富士太郎’の周りには、人が誰もいないと判断する。すなわち、近隣者通知装置１０は、‘富士太郎’の児童用端末から、タグ番号を受信していないが、その状態が所定時間経過していない場合、‘富士太郎’の周りには、人が誰もいないと判断する。
【００７９】
近隣者通知装置１０は、判断した近隣者情報を、保護者の保護者用端末４０に送信し、保護者用端末４０の表示装置に画面８４を表示させる。
なお、タグ番号を受信しない状態が所定時間経過した場合、近隣者通知装置１０は、図９で説明したように、‘富士太郎’は一人で行動していると判断することになる。
【００８０】
図１３は、グループ管理される児童がグループから離れて行動している場合の保護者用端末に表示される近隣者情報の一例を示した図である。図の画面８５は、グループ管理される‘富士太郎’が、一人で行動している場合の保護者用端末４０に表示される画面例を示している。
【００８１】
近隣者通知装置１０は、所定時間、‘富士太郎’の周りに、‘富士太郎’とともにグループ管理される児童が存在しないと検出した場合、‘富士太郎’は、グループから離れて行動していると判断する。ただし、グループ外の人が周りに存在する場合には、その人の近隣者情報が表示される。すなわち、近隣者通知装置１０は、所定時間経過しても、‘富士太郎’の児童用端末から、グループ管理される他の児童のタグ番号を受信しなかった場合、‘富士太郎’は、グループから離れて行動していると判断する。
【００８２】
近隣者通知装置１０は、判断した近隣者情報を、保護者の保護者用端末４０に送信し、保護者用端末４０の表示装置に画面８５を表示させる。
次に、近隣者通知装置１０から保護者用端末４０に送信される近隣者情報（通知メッセージ）の送信タイミングと、その内容について説明する。
【００８３】
図１４は、通知メッセージの送信タイミングとその内容を説明するためのログＤＢを示した図である。図に示すログＤＢ９１は、‘富士太郎’のログ例を示しているとする。
近隣者通知装置１０は、保護者用端末４０に自動で通知メッセージを送信する場合と、保護者からの問い合わせに応じて、通知メッセージを送信する場合とがある。近隣者通知装置１０は、自動で通知メッセージを送信する場合、児童が、例えば一人で行動しているなど、保護者に警告すべき状況にある場合にのみ、通知メッセージを送信する。
【００８４】
まず、‘富士太郎’がグループ管理されていない場合の自動通知について説明する。近隣者通知装置１０は、ログＤＢ９１に基づいて、以下のような通知メッセージを編集し、保護者用端末４０に送信する。
【００８５】
１５：０３時点では、‘富士太郎’の周りに‘富士花子’‘鈴木一郎’がいることが分かる。したがって、近隣者通知装置１０は、通知メッセージを編集せず、保護者用端末４０に送信しない。
【００８６】
なお、図１４のログＤＢ９１に示すタグ番号‘０００Ｂ’‘０００Ｃ’は、図６の個人情報ＤＢ７２から、‘富士花子’‘鈴木一郎’と分かる。また、図６の個人情報ＤＢ７２から、‘富士太郎’の近隣者情報を通知すべき保護者の管理番号（保護者管理番号）は、‘１’であることが分かる。図５の保護者情報ＤＢ７１から、‘富士太郎’の近隣者情報を通知すべき保護者は、‘富士陽子’であることが分かる。また、‘富士陽子’の連絡先のメールアドレスも分かる。
【００８７】
１５：０６時点では、‘富士太郎’の周りに‘富士花子’‘鈴木一郎’‘山口達也’がいることが分かる。したがって、近隣者通知装置１０は、通知メッセージを保護者用端末４０に送信しない。なお、タグ番号‘０００Ｅ’は、図６の個人情報ＤＢ７２から、‘山口達也’であることが分かる。
【００８８】
同様に、１５：０９〜１５：１５の時点では、‘富士太郎’の周りに、‘鈴木一郎’‘山口達也’‘高橋秀樹’が存在するため、近隣者通知装置１０は、通知メッセージを保護者用端末４０に送信しない。なお、タグ番号‘０００Ｄ’は、図６の個人情報ＤＢ７２から、‘高橋秀樹’であることが分かる。
【００８９】
１５：１８時点では、‘富士太郎’の周りに人がいないが、近隣者通知装置１０は、通知メッセージを保護者用端末４０に送信しない。近隣者通知装置１０は、前述したように、‘富士太郎’の一人でいる時間が所定時間経過してから、一人で行動していると判断するからである。なお、現在の状況は、‘富士太郎’の周りには、誰もいないと判断される状況である。
【００９０】
なお、以下では、近隣者通知装置１０は、児童の周りに誰もいない状態が３Ｔ（Ｔは、近隣者通知装置１０がロギングする周期を示す）続けば、児童は、一人で行動していると判断するとする。
【００９１】
１５：２１時点では、‘富士太郎’の周りに人はいない。‘富士太郎’の周りに人がいない状態は２Ｔしか経過していないので、近隣者通知装置１０は、通知メッセージを保護者用端末４０に送信しない。
【００９２】
１５：２４時点では、図に示すように、‘富士太郎’の周りに人がいない状態が３Ｔ続いたので、近隣者通知装置１０は、‘富士太郎’が一人で行動している旨の通知メッセージを編集する。そして、近隣者通知装置１０は、編集した通知メッセージを保護者用端末４０に送信する。
【００９３】
このように、通知メッセージの自動通知は、‘富士太郎’が一人で行動しているなど、児童が保護者に警告すべき状況になったときに行なわれる。
１５：２７〜１５：３３時点では、‘富士太郎’の周りに、‘山口達也’‘高橋秀樹’が存在するため、近隣者通知装置１０は、通知メッセージを保護者用端末４０に送信しない。
【００９４】
以上のようにして、‘富士太郎’がグループ管理されていない場合の、通知メッセージの自動通知が行なわれる。
次に、‘富士太郎’がグループ管理されている場合の自動通知について説明する。‘富士太郎’は、図７のグルーピング管理情報ＤＢ７３に示すように、グループ管理されているとする。つまり、‘富士太郎’は、‘鈴木一郎（タグ番号０００Ｃ）’と、‘高橋秀樹（タグ番号０００Ｄ）’とでグループを構成しているとする。
【００９５】
近隣者通知装置１０は、図１４のログＤＢ９１と図７のグルーピング管理情報ＤＢ７３とに基づいて、以下のような通知メッセージを編集し、保護者用端末４０に送信する。
１５：０３，１５：０６時点では、‘富士太郎’の周りに、同じグループの‘鈴木一郎’がいることが分かる。したがって、近隣者通知装置１０は、通知メッセージを編集せず、保護者用端末４０に送信しない。
【００９６】
１５：０９，１５：１２時点では、‘富士太郎’の周りに、同じグループの‘鈴木一郎’、‘高橋秀樹’がいることが分かる。したがって、近隣者通知装置１０は、通知メッセージを編集せず、保護者用端末４０に送信しない。
【００９７】
１５：１５時点では、‘富士太郎’の周りに、同じグループの児童は存在しないが、‘山口達也’が存在していることが分かる。したがって、近隣者通知装置１０は、‘富士太郎’の周りには、‘山口達也’が存在するが、グループから離れて行動している旨の通知メッセージを編集する。そして、近隣者通知装置１０は、編集した通知メッセージを保護者用端末４０に送信する。
【００９８】
このように、通知メッセージの自動通知は、‘富士太郎’がグループから離れたなど、保護者に通知すべき状況になったときに行なわれる。
１５：１８時点では、‘富士太郎’の周りに人はいないが、近隣者通知装置１０は、通知メッセージを保護者用端末４０に送信しない。‘富士太郎’の一人でいる時間が３Ｔを経過していないからである。
【００９９】
１５：２１時点では、‘富士太郎’の周りに人はいないが、近隣者通知装置１０は、通知メッセージを保護者用端末４０に送信しない。‘富士太郎’の一人でいる時間が３Ｔを経過していないからである。
【０１００】
１５：２４時点では、‘富士太郎’の周りに人がいない状態が３Ｔ続いたので、近隣者通知装置１０は、‘富士太郎’が一人で行動している旨の通知メッセージを編集する。そして、近隣者通知装置１０は、編集した通知メッセージを保護者用端末４０に送信する。
【０１０１】
このように、通知メッセージの自動通知は、‘富士太郎’が一人で行動しているなど、保護者に警告すべき状況になったときに行なわれる。
１５：２７時点では、‘富士太郎’の周りに、同じグループの児童が存在しないが、‘山口達也’が存在していることが分かる。したがって、近隣者通知装置１０は、‘富士太郎’の周りには‘山口達也’が存在するが、グループから離れて行動している旨の通知メッセージを編集する。そして、近隣者通知装置１０は、編集した通知メッセージを保護者用端末４０に送信する。
【０１０２】
１５：３０，１５：３３時点では、‘富士太郎’の周りに、同じグループの‘高橋秀樹’が存在するため、近隣者通知装置１０は、通知メッセージを保護者用端末４０に送信しない。
【０１０３】
以上のようにして、‘富士太郎’がグループ管理されている場合の通知メッセージの自動通知が行なわれる。
次に、保護者からの問い合わせに応じて、通知メッセージを送信する場合について説明する。まず、‘富士太郎’がグループ管理されていない場合の問い合わせ通知について説明する。近隣者通知装置１０は、ログＤＢ９１に基づいて、以下のような通知メッセージを編集し、保護者用端末４０に送信する。
【０１０４】
なお、以下で示す各時間の時点において、保護者から問い合わせがあったとする。また、児童が、他の児童と一緒にいる状態が２Ｔ続けば、児童は、他の児童と一緒にいる（一緒に行動している）と判断するとする。
【０１０５】
１５：０３時点では、‘富士太郎’の周りに‘富士花子’‘鈴木一郎’がいることが分かる。‘富士太郎’の周りに‘富士花子’‘鈴木一郎’がいる時間は、２Ｔ経過している。したがって、近隣者通知装置１０は、‘富士太郎’は‘富士花子’‘鈴木一郎’と一緒にいる旨の通知メッセージを編集し、保護者用端末４０に送信する。
【０１０６】
１５：０６時点では、‘富士太郎’の周りに‘富士花子’‘鈴木一郎’‘山口達也’がいることが分かる。‘山口達也’に関しては、‘富士太郎’の周りにいる時間が２Ｔ経過していない。したがって、近隣者通知装置１０は、‘富士太郎’は、‘富士花子’‘鈴木一郎’と一緒にいる旨の通知メッセージを編集し、保護者用端末４０に送信する。
【０１０７】
１５：０９時点では、‘富士太郎’の周りに‘鈴木一郎’‘高橋秀樹’がいることが分かる。‘高橋秀樹’に関しては、‘富士太郎’の周りにいる時間が２Ｔ経過していない。したがって、近隣者通知装置１０は、‘富士太郎’は‘鈴木一郎’と一緒にいる旨の通知メッセージを編集し、保護者用端末４０に送信する。
【０１０８】
１５：１２時点では、‘富士太郎’の周りに‘高橋秀樹’がいることが分かる。‘高橋秀樹’に関しては、‘富士太郎’の周りにいる時間が２Ｔ経過している。したがって、近隣者通知装置１０は、‘富士太郎’は‘高橋秀樹’と一緒にいる旨の通知メッセージを編集し、保護者用端末４０に送信する。
【０１０９】
１５：１５時点では、‘富士太郎’の周りに‘山口達也’がいることが分かる。しかし、‘山口達也’に関しては、‘富士太郎’の周りにいる時間が２Ｔ経過していない。したがって、近隣者通知装置１０は、‘富士太郎’の周りには、‘山口達也’がいるが、一緒に行動していない旨の通知メッセージを編集し、保護者用端末４０に送信する。
【０１１０】
１５：１８時点では、‘富士太郎’の周りに人がいない。したがって、近隣者通知装置１０は、‘富士太郎’の周りには、誰もいない旨の通知メッセージを編集し、保護者用端末４０に送信する。
【０１１１】
１５：２１時点では、‘富士太郎’の周りに人がいない。したがって、近隣者通知装置１０は、‘富士太郎’の周りには誰もいない旨の通知メッセージを編集し、保護者用端末４０に送信する。
【０１１２】
１５：２４時点では、‘富士太郎’の周りに誰もいない状態が３Ｔ継続している。したがって、近隣者通知装置１０は、‘富士太郎’は一人で行動していると判断し、その旨の通知メッセージを編集し、保護者用端末４０に送信する。
【０１１３】
１５：２７時点では、‘富士太郎’の周りに‘山口達也’がいることが分かる。しかし、‘山口達也’に関しては、‘富士太郎’の周りにいる時間が２Ｔ経過していない。したがって、近隣者通知装置１０は、‘富士太郎’の周りには、‘山口達也’がいるが、一緒に行動していない旨の通知メッセージを編集し、保護者用端末４０に送信する。
【０１１４】
１５：３０時点では、‘富士太郎’の周りに‘高橋秀樹’がいることが分かる。‘高橋秀樹’に関しては、‘富士太郎’の周りにいる時間が２Ｔ経過していない。したがって、近隣者通知装置１０は、‘富士太郎’の周りには、‘高橋秀樹’がいるが、一緒に行動していない旨の通知メッセージを編集し、保護者用端末４０に送信する。
【０１１５】
１５：３３時点では、‘富士太郎’の周りに‘高橋秀樹’がいることが分かる。‘高橋秀樹’に関しては、‘富士太郎’の周りにいる時間が２Ｔ経過している。したがって、近隣者通知装置１０は、‘富士太郎’は、‘高橋秀樹’と一緒に行動している旨の通知メッセージを編集し、保護者用端末４０に送信する。
【０１１６】
以上のようにして、‘富士太郎’がグループ管理されていない場合の、通知メッセージの問い合わせが行なわれる。
次に、‘富士太郎’がグループ管理されている場合の問い合わせ通知について説明する。‘富士太郎’は、図７のグルーピング管理情報ＤＢ７３に示すように、グループ管理されているとする。近隣者通知装置１０は、図１４のログＤＢ９１と図７のグルーピング管理情報ＤＢ７３とに基づいて、以下のような通知メッセージを編集し、保護者用端末４０に送信する。
【０１１７】
１５：０３時点では、‘富士太郎’の周りに‘富士花子’‘鈴木一郎’がいることが分かる。‘富士太郎’の周りに‘富士花子’‘鈴木一郎’がいる時間は、２Ｔ経過している。したがって、近隣者通知装置１０は、‘富士太郎’は‘富士花子’‘鈴木一郎’と一緒に行動している旨の通知メッセージを編集し、保護者用端末４０に送信する。
【０１１８】
１５：０６時点では、‘富士太郎’の周りに‘富士花子’‘鈴木一郎’‘山口達也’がいることが分かる。‘山口達也’に関しては、‘富士太郎’の周りにいる時間が２Ｔ経過していない。したがって、近隣者通知装置１０は、‘富士太郎’は‘富士花子’‘鈴木一郎’と一緒に行動している旨の通知メッセージを編集し、保護者用端末４０に送信する。
【０１１９】
１５：０９時点では、‘富士太郎’の周りに‘鈴木一郎’‘高橋秀樹’がいることが分かる。‘高橋秀樹’に関しては、‘富士太郎’の周りにいる時間が２Ｔ経過していない。したがって、近隣者通知装置１０は、‘富士太郎’は‘鈴木一郎’と一緒に行動している旨の通知メッセージを編集し、保護者用端末４０に送信する。
【０１２０】
１５：１２時点では、‘富士太郎’の周りに‘高橋秀樹’がいることが分かる。‘高橋秀樹’に関しては、‘富士太郎’の周りにいる時間が２Ｔ経過している。したがって、近隣者通知装置１０は、‘富士太郎’は ‘高橋秀樹’と一緒に行動している旨の通知メッセージを編集し、保護者用端末４０に送信する。
【０１２１】
１５：１５時点では、‘富士太郎’の周りに‘山口達也’がいることが分かる。‘山口達也’に関しては、‘富士太郎’とグループ管理されていない。したがって、近隣者通知装置１０は、‘富士太郎’の周りには、‘山口達也’がいるが、グループの人から離れて行動している旨の通知メッセージを編集し、保護者用端末４０に送信する。
【０１２２】
１５：１８時点では、‘富士太郎’の周りに人がいない。したがって、近隣者通知装置１０は、‘富士太郎’の周りには、誰もいない旨の通知メッセージを編集し、保護者用端末４０に送信する。
【０１２３】
１５：２１時点では、‘富士太郎’の周りに人がいない。したがって、近隣者通知装置１０は、‘富士太郎’の周りには、誰もいない旨の通知メッセージを編集し、保護者用端末４０に送信する。
【０１２４】
１５：２４時点では、‘富士太郎’の周りに誰もいない状態が３Ｔ継続している。したがって、近隣者通知装置１０は、‘富士太郎’は一人で行動していると判断し、その旨の通知メッセージを編集し、保護者用端末４０に送信する。
【０１２５】
１５：２７時点では、‘富士太郎’の周りに‘山口達也’がいることが分かる。‘山口達也’に関しては、‘富士太郎’とグループ管理されていない。したがって、近隣者通知装置１０は、‘富士太郎’の周りには、‘山口達也’がいるが、グループの人から離れて行動している旨の通知メッセージを編集し、保護者用端末４０に送信する。
【０１２６】
１５：３０時点では、‘富士太郎’の周りに同じグループの‘高橋秀樹’がいることが分かる。‘高橋秀樹’に関しては、‘富士太郎’の周りにいる時間が２Ｔ経過していない。したがって、近隣者通知装置１０は、‘富士太郎’の周りには、‘高橋秀樹’がいるが、一緒に行動していない旨の通知メッセージを編集し、保護者用端末４０に送信する。
【０１２７】
１５：３３時点では、‘富士太郎’の周りに同じグループの‘高橋秀樹’がいることが分かる。‘高橋秀樹’に関しては、‘富士太郎’の周りにいる時間が２Ｔ経過している。したがって、近隣者通知装置１０は、‘富士太郎’は‘高橋秀樹’と一緒に行動している旨の通知メッセージを編集し、保護者用端末４０に送信する。
【０１２８】
以上のようにして、‘富士太郎’がグループ管理されている場合の、通知メッセージの問い合わせが行なわれる。
なお、上記では、グループメンバの一人（‘富士太郎’）を指定した場合の例である。保護者によって、グループ管理番号（図７で示した管理番号）が指定された場合、近隣者通知装置１０は、グループメンバ全員の通知メッセージを順次編集し、保護者に送信する。
【０１２９】
次に、通知メッセージを自動通知する場合の近隣者通知装置１０、児童用端末３０〜３４、および保護者用端末４０の動作と、通知メッセージを保護者から問い合わせによって通知する場合の近隣者通知装置１０、児童用端末３０〜３４、および保護者用端末４０の動作とをシーケンス図およびフローチャートを用いて説明する。
【０１３０】
まず、通知メッセージを自動通知する場合の近隣者通知装置１０、児童用端末３０〜３４、および保護者用端末４０の動作について説明する。
図１５は、通知メッセージの自動通知を行なう場合の近隣者通知装置、児童用端末、および保護者用端末のシーケンス図である。
【０１３１】
［ステップＳ１］児童用端末３０のＣＰＵ３０ａは、無線ＩＤタグセンサ部３０ｃによって、周囲の児童用端末３１〜３４の無線ＩＤタグのセンシングを行なう。
［ステップＳ２，Ｓ３］児童用端末３０のＣＰＵ３０ａは、センシングした無線ＩＤタグのタグ番号を、通信部３０ｇを介して、近隣者通知装置１０に送信する。
【０１３２】
［ステップＳ４］近隣者通知装置１０のＣＰＵ１１は、通信インターフェース１６を介して、児童用端末３０がセンシングしたタグ番号を受信する。
［ステップＳ５］近隣者通知装置１０のＣＰＵ１１は、受信したタグ番号をＨＤＤ１３に構築しているログＤＢ７４に格納する。なお、近隣者通知装置１０のＣＰＵ１１は、児童ごとにログＤＢ７４を構築している。近隣者通知装置１０のＣＰＵ１１は、受信したタグ番号を対応する児童のログＤＢ７４に格納する。
【０１３３】
［ステップＳ６］近隣者通知装置１０のＣＰＵ１１は、保護者に通知する通知メッセージを自動生成するための通知メッセージ処理を行なう。なお、通知メッセージ処理については、以下でフローチャートを用いて詳細に説明する。
【０１３４】
［ステップＳ７］近隣者通知装置１０のＣＰＵ１１は、通知メッセージ処理によって生成された通知メッセージを、通信インターフェース１６を介して、保護者用端末４０に送信する。
【０１３５】
［ステップＳ８］保護者用端末４０は、近隣者通知装置１０から送信された通知メッセージを受信し、表示装置に表示する。
なお、児童用端末３０は、周期的にセンシングを行ない、タグ番号を近隣者通知装置１０に通知する。また、他の児童用端末３１〜３４も児童用端末３０と同様に、周期的にセンシングを行なっており、タグ番号を近隣者通知装置１０に送信する。
【０１３６】
このように、近隣者通知装置１０は、児童用端末３０〜３４からタグ番号を周期的に受信し、児童ごとに管理しているログＤＢ７４に格納する。そして、児童の周囲の状況が、例えば児童が一人で行動しているなど、保護者に通知メッセージを送信すべき状況になったとき、通知メッセージを自動生成し、保護者用端末４０に送信する。
【０１３７】
次に、図１５のステップＳ６の通知メッセージ処理について詳細に説明する。
図１６は通知メッセージ処理のフローチャートである。
［ステップＳ１１］近隣者通知装置１０のＣＰＵ１１は、センサ結果が更新されたか判断する。つまり、近隣者通知装置１０のＣＰＵ１１は、ログＤＢ７４が更新されたか判断する。ログＤＢ７４が更新された場合、ステップＳ１２に進む。ログＤＢ７４が更新されない場合、処理を終了する。
【０１３８】
［ステップＳ１２］近隣者通知装置１０のＣＰＵ１１は、ログＤＢ７４の一定のログ情報を、例えばＲＡＭ１２のワークエリアに展開する。一定のログ情報とは、児童が一人で行動しているか否か判断できる情報量をいう。例えば、図１４で説明した例の場合では、児童の周囲に他の児童が存在しない状態が３Ｔ続けば一人で行動していると判断するので、現在から３Ｔ分前の情報が一定のログ情報となり、ワークエリアに展開されることになる。
【０１３９】
［ステップＳ１３］近隣者通知装置１０のＣＰＵ１１は、ワークエリアに展開したログ情報に基づいて、児童が一人で行動しているか否かを判定する。近隣者通知装置１０のＣＰＵ１１は、児童が一人で行動していると判定した場合、その旨の通知メッセージを生成する。なお、ステップＳ１３の処理は、以下でフローチャートを用いて詳細に説明する。
【０１４０】
［ステップＳ１４］近隣者通知装置１０のＣＰＵ１１は、ステップＳ１３の判定において、児童が一人で行動していると判定されたか否かを判断する。ステップＳ１３において、児童が一人で行動していると判定された場合、ステップＳ１７に進む。児童が一人で行動していないと判定された場合、ステップＳ１５に進む。
【０１４１】
すなわち、児童が一人で行動している場合、保護者にその旨の通知メッセージを送信するため、通知メッセージの送信処理に進む。これに対し、児童が一人で行動していない場合、グループ管理されているか否かの判定に進む。そして、グループ管理されている場合、児童がグループとともに行動しているのか、離れて行動しているのかの判定が行なわれる。
【０１４２】
［ステップＳ１５］近隣者通知装置１０のＣＰＵ１１は、児童がグループ管理される児童であるか否かを判断する。児童がグループ管理される場合、ステップＳ１６に進む。児童がグループ管理されない場合、ステップＳ１７に進む。
【０１４３】
［ステップＳ１６］近隣者通知装置１０のＣＰＵ１１は、ワークエリアに展開したログ情報とグルーピング管理情報ＤＢ７３とに基づいて、児童がグループから離れて行動しているか否かを判定する。近隣者通知装置１０のＣＰＵ１１は、児童がグループと離れて行動していると判定した場合、その旨の通知メッセージを生成する。なお、ステップＳ１６の処理は、以下でフローチャートを用いて詳細に説明する。
【０１４４】
［ステップＳ１７］近隣者通知装置１０のＣＰＵ１１は、通知メッセージの送信時間になったか否かを判断する。通知メッセージを送信する時間であれば、ステップＳ１８に進む。通知メッセージを送信する時間でなければ、ステップＳ１９に進む。
【０１４５】
［ステップＳ１８］近隣者通知装置１０のＣＰＵ１１は、ステップＳ１３，Ｓ１６で生成された通知メッセージを、通信インターフェース１６を介して、保護者用端末４０に送信する。なお、ステップＳ１８の処理は、以下でフローチャートを用いて詳細に説明する。
【０１４６】
［ステップＳ１９］近隣者通知装置１０のＣＰＵ１１は、送信時間をカウントするカウンタを１インクリメントする。なお、送信時間をカウントするのは、同じ通知メッセージが短時間に繰り返し保護者へ送信されるのを防止するためである。
【０１４７】
このように、近隣者通知装置１０は、児童が一人で行動しているか否か判断する。また、児童がグループと離れて行動しているか否か判定する。そして、通知メッセージを保護者用端末４０に送信する。
【０１４８】
次に、図１６のステップＳ１３，Ｓ１６，Ｓ１８の処理について順に詳細に説明する。まず、図１６のステップＳ１３の一人判定処理について説明する。
図１７は、一人判定処理のフローチャートである。
【０１４９】
［ステップＳ２１］近隣者通知装置１０のＣＰＵ１１は、ワークエリアに読み出したログＤＢ７４の３Ｔ分のログ情報から無線ＩＤタグのタグ番号を順次検出する。
［ステップＳ２２］近隣者通知装置１０のＣＰＵ１１は、ワークエリアのログ情報からタグ番号を検出できたか否かを判断する。つまり、タグ番号が検出できたか否かによって、児童の周囲に人が存在しているか否かを判断する。タグ番号が検出できた場合、つまり、児童の周りに人がいると判断した場合、その旨の通知メッセージを保護者に送信する必要はないので、処理を終了する。タグ番号が抽出されなかった場合、ステップＳ２３に進む。
【０１５０】
［ステップＳ２３］近隣者通知装置１０のＣＰＵ１１は、ワークエリアのログ情報の全てにおいて、タグ番号の検出が終了したか否かを判断する。ワークエリアのログ情報の全てにおいて、タグ番号の検出が終了した場合、ステップＳ２４に進む。タグ番号の検出が終了していない場合、次のタグ番号を検出するため、ステップＳ２１に進む。
【０１５１】
［ステップＳ２４］近隣者通知装置１０のＣＰＵ１１は、児童が一人で行動している旨の通知メッセージを生成する。なお、生成した通知メッセージは、図１６のステップＳ１８において、保護者用端末４０に送信される。
【０１５２】
このように、近隣者通知装置１０は、ワークエリアに展開されたログＤＢ７４のログ情報に基づいて、児童が一人で行動しているか否かを判定する。
次に、図１６のステップＳ１６のグループ判定処理について説明する。
【０１５３】
図１８は、グループ判定処理のフローチャートである。
［ステップＳ３１］近隣者通知装置１０のＣＰＵ１１は、ワークエリアに読み出されたログ情報の現時点（最新）の情報から無線ＩＤタグのタグ番号を順次検出する。
【０１５４】
［ステップＳ３２］近隣者通知装置１０のＣＰＵ１１は、ワークエリアのログ情報からタグ番号を検出できたか否かを判断する。タグ番号が検出できた場合、ステップＳ３３に進む。タグ番号が検出できなかった場合、ステップＳ３５に進む。
【０１５５】
［ステップＳ３３］近隣者通知装置１０のＣＰＵ１１は、検出したタグ番号がグループメンバであるか否かを、グルーピング管理情報ＤＢ７３を参照して判断する。検出したタグ番号がグループメンバである場合、児童は、グループメンバと一緒に行動しているので、通知メッセージを生成する必要がなく、処理を終了する。検出したタグ番号が、グループメンバでない場合、ステップＳ３４に進む。
【０１５６】
［ステップＳ３４］近隣者通知装置１０のＣＰＵ１１は、検出したタグ番号は、グループのメンバではないが、児童の周りにいる人として認識する。そして、ステップＳ３１に進み、次のタグ番号を検出する。
【０１５７】
［ステップＳ３５］近隣者通知装置１０のＣＰＵ１１は、ステップＳ３４において、児童の周りにいる人として認識されたタグ番号を、個人情報ＤＢ７２を参照して、氏名に変換する。
【０１５８】
［ステップＳ３６］近隣者通知装置１０のＣＰＵ１１は、グループから離れているが、周りにグループでない人がいる旨の通知メッセージを生成する。なお、生成した通知メッセージは、ステップＳ３５で得られた氏名が含まれ、図１６のステップＳ１８において、保護者用端末４０に送信される。
【０１５９】
このように、近隣者通知装置１０は、ワークエリアに展開されたログＤＢ７４のログ情報とグルーピング管理情報ＤＢ７３とに基づいて、児童がグループと離れ、周りにグループ外の人がいるか否かを判定する。
【０１６０】
次に、図１６のステップＳ１８の通知メッセージ送信処理について説明する。
図１９は、通知メッセージ送信処理のフローチャートである。
［ステップＳ４１］近隣者通知装置１０のＣＰＵ１１は、児童の近隣者情報の通知がグループ設定されているか否かを判断する。グループ設定されている場合、ステップＳ４２に進む。グループ設定されていない場合、ステップＳ４３に進む。
【０１６１】
［ステップＳ４２］近隣者通知装置１０のＣＰＵ１１は、グルーピング管理情報ＤＢ７３の保護者管理番号から児童の保護者の管理番号を取得する。
［ステップＳ４３］近隣者通知装置１０のＣＰＵ１１は、個人情報ＤＢ７２の保護者管理番号から児童の保護者の管理番号を取得する。
【０１６２】
［ステップＳ４４］近隣者通知装置１０のＣＰＵ１１は、ステップＳ４２またはステップＳ４３で取得した保護者の管理番号によって保護者情報ＤＢ７１を参照し、保護者のメールアドレスを取得する。
【０１６３】
［ステップＳ４５］近隣者通知装置１０のＣＰＵ１１は、通信インターフェース１６を介して、保護者のメールアドレス宛てに通知メッセージを送信する。
このように、通知メッセージを送信する保護者を特定し、通知メッセージを送信する。
【０１６４】
以上が通知メッセージを自動通知する場合の動作説明である。次に、保護者からの問い合わせに応じて通知メッセージを送信する場合の動作について、シーケンス図およびフローチャートを用いて説明する。
【０１６５】
図２０は、通知メッセージを問い合わせに応じて行なう場合の近親者通知装置および保護者用端末のシーケンス図である。
［ステップＳ５１］保護者用端末４０は、保護者からの操作を受付け、近隣者通知装置１０に対し、児童の近隣者情報を要求する。
【０１６６】
［ステップＳ５２］近隣者通知装置１０のＣＰＵ１１は、通信インターフェース１６を介して、保護者用端末４０から近隣者情報の要求を受信する。なお、近隣者通知装置１０のＣＰＵ１１は、保護者用端末４０から近隣者情報を通知する児童のタグ番号またはグループ管理番号を受信する。
【０１６７】
［ステップＳ５３］近隣者通知装置１０のＣＰＵ１１は、保護者に通知する通知メッセージを生成するための通知メッセージ処理を行なう。なお、通知メッセージ処理については、以下でフローチャートを用いて詳細に説明する。
【０１６８】
［ステップＳ５４］近隣者通知装置１０のＣＰＵ１１は、通知メッセージ処理によって生成された通知メッセージを、通信インターフェース１６を介して、保護者用端末４０に送信する。
【０１６９】
［ステップＳ５５］保護者用端末４０は、近隣者通知装置１０から送信された通知メッセージを受信し、表示装置に表示する。
このように、保護者は、近隣者通知装置１０に対し、児童の近隣者情報を問い合わせることによって、児童の周囲にはどのような人が存在しているか、任意で認識することができる。
【０１７０】
なお、図示を省略しているが、児童用端末３０〜３４は、周期的に周囲の無線ＩＤタグをセンシングし、無線ＩＤタグのタグ番号を近隣者通知装置１０に送信している。近隣者通知装置１０は、児童用端末３０〜３４から受信したタグ番号を児童ごとのログＤＢ７４に格納している。
【０１７１】
次に、図２０のステップＳ５３の通知メッセージ処理について詳細に説明する。
図２１および図２２は、通知メッセージ処理のフローチャートである。通知メッセージ処理のフローチャートは、図２１と図２２の２つに分割して示している。
【０１７２】
［ステップＳ６１］近隣者通知装置１０のＣＰＵ１１は、保護者用端末４０からグループ管理番号の指定があったか否かを判断する。グループ管理番号の指定があった場合、ステップＳ６２に進む。グループ管理番号の指定がなかった場合、つまり児童のタグ番号が保護者用端末４０から送信された場合、ステップＳ６３に進む。
【０１７３】
［ステップＳ６２］近隣者通知装置１０のＣＰＵ１１は、指定のあったグループ管理番号よって、グルーピング管理情報ＤＢ７３を参照し、グループ管理されている児童のタグ番号を一人ずつ順に抽出する。
【０１７４】
［ステップＳ６３］近隣者通知装置１０のＣＰＵ１１は、ステップＳ６２で抽出されたタグ番号または保護者用端末４０から受信した児童のタグ番号に対応する児童の情報を個人情報ＤＢ７２から取得する。近隣者通知装置１０のＣＰＵ１１は、取得した児童の情報によって、対応する児童のログＤＢ７４の一定のログ情報をワークエリアに展開する。
【０１７５】
［ステップＳ６４］近隣者通知装置１０のＣＰＵ１１は、ワークエリアに展開したログ情報に基づいて、児童が一人で行動しているか否かを判定する。近隣者通知装置１０のＣＰＵ１１は、児童が一人で行動していると判定した場合、その旨の通知メッセージを生成する。なお、ステップＳ６４の処理は、図１７で説明した一人判定処理のフローチャートと同様である。
【０１７６】
［ステップＳ６５］近隣者通知装置１０のＣＰＵ１１は、ステップＳ６４の判定において、児童が一人で行動していると判定されたか否かを判断する。ステップＳ６４において、児童が一人で行動していると判定された場合、ステップＳ７７に進む。児童が一人で行動していないと判定された場合、ステップＳ６６に進む。
【０１７７】
すなわち、児童が一人で行動している場合、保護者にその旨の通知メッセージを送信するために、通知メッセージの送信処理に進む。これに対し、児童が一人で行動していない場合（一人状態が所定時間（例えば、３Ｔ）経過していない場合）、周りに人がいるか否かの処理へ進み、さらにグループから離れて行動しているか否かの処理へ進む。
【０１７８】
［ステップＳ６６］近隣者通知装置１０のＣＰＵ１１は、現時点でのログ情報（最新のログ情報）に、タグ番号が存在しているか否かによって、児童の周りに人がいるか否かの判定を行なう。近隣者通知装置１０のＣＰＵ１１は、児童の周りに人が誰もいなければ、児童の周りに人が誰もいない旨の通知メッセージを生成する。ステップＳ６６の処理は、以下でフローチャートを用いて詳細に説明する。
【０１７９】
［ステップＳ６７］近隣者通知装置１０のＣＰＵ１１は、ステップＳ６６の判定において、児童の周りに人がいると判定されたか否か判断する。ステップＳ６６において、児童の周りに人がいないと判定された場合、児童の周りに人が誰もいない旨の通知メッセージを送信するため、ステップＳ７７に進む。児童の周りに人がいると判定された場合、ステップＳ６８に進む。
【０１８０】
［ステップＳ６８］近隣者通知装置１０のＣＰＵ１１は、児童がグループ設定されているか否かを判断する。児童がグループ設定されている場合、ステップＳ７２に進む。児童がグループ設定されていない場合、ステップＳ６９に進む。
【０１８１】
［ステップＳ６９］近隣者通知装置１０のＣＰＵ１１は、児童の周りに人はいるが、一緒に行動していないかの判定を行なう。つまり、上記でも説明したように、児童の周りに人が存在しても、所定時間（例えば、２Ｔ）児童の周りに存在しなければ、児童の周りに人はいるが、一緒に行動していないと判定する。なお、ステップＳ６９の処理は、以下でフローチャートを用いて詳細に説明する。
【０１８２】
［ステップＳ７０］近隣者通知装置１０のＣＰＵ１１は、ステップＳ６９において、児童の周りに人はいるが、一緒に行動していないと判定された場合、ステップＳ７７に進む。一緒に行動していると判定した場合は、ステップＳ７１に進む。
【０１８３】
［ステップＳ７１］近隣者通知装置１０のＣＰＵ１１は、一緒に行動している人の情報を取得し、その人と一緒に行動している旨の通知メッセージを生成する。なお、ステップＳ７１の処理は、以下でフローチャートを用いて詳細に説明する。
【０１８４】
［ステップＳ７２］近隣者通知装置１０のＣＰＵ１１は、ワークエリアに展開したログ情報とグルーピング管理情報ＤＢ７３とに基づいて、児童がグループから離れて行動しているか否かを判定する。近隣者通知装置１０のＣＰＵ１１は、児童がグループと離れて行動していると判定した場合、その旨の通知メッセージを生成する。なお、ステップＳ７２の処理は、図１８で説明したグループ判定処理のフローチャートと同様である。
【０１８５】
［ステップＳ７３］近隣者通知装置１０のＣＰＵ１１は、ステップＳ７２において、児童がグループから離れて行動していると判定されたか否かを判断する。ステップＳ７２において、児童がグループから離れて行動していると判定された場合、ステップＳ７７に進む。児童がグループから離れて行動していないと判定された場合、ステップＳ７４に進む。
【０１８６】
［ステップＳ７４］近隣者通知装置１０のＣＰＵ１１は、児童の周囲にグループ内の人がいて、一緒に行動しているか否かの判定を行なう。つまり、児童の周りにグループ内の人が所定時間（例えば、２Ｔ）一緒にいるか否か判定する。所定時間一緒にいれば、児童とそのグループ内の人とは、一緒に行動していると判定する。所定時間一緒にいなければ、グループ内の人が周囲にいるが、一緒に行動していないと判定する。なお、ステップＳ７４の処理は、以下でフローチャートを用いて詳細に説明する。
【０１８７】
［ステップＳ７５］近隣者通知装置１０のＣＰＵ１１は、ステップＳ７４において、児童の周りにグループの人はいるが、一緒に行動していないと判定された場合、ステップＳ７７に進む。一緒に行動していると判定した場合は、ステップＳ７６に進む。
【０１８８】
［ステップＳ７６］近隣者通知装置１０のＣＰＵ１１は、一緒に行動しているグループ内の人の情報を取得し、児童がグループ内の人と一緒に行動している旨の通知メッセージを生成する。なお、ステップＳ７６の処理は、以下でフローチャートを用いて詳細に説明する。
【０１８９】
［ステップＳ７７］近隣者通知装置１０のＣＰＵ１１は、通知メッセージを保護者用端末４０に送信する。
［ステップＳ７８］近隣者通知装置１０のＣＰＵ１１は、保護者用端末４０からグループ管理番号の指定があったか否かを判断する。グループ管理番号の指定があった場合、ステップＳ７９に進む。グループ管理番号の指定がなかった場合、処理を終了する。
【０１９０】
［ステップＳ７９］近隣者通知装置１０のＣＰＵ１１は、保護者用端末４０から指定のあったグループ管理番号の全てのグループメンバにおいて、上記の前ステップの処理が終了したか否かを判断する。全てのグループメンバの処理が終了した場合、処理を終了する。全てのグループメンバの処理が終了していない場合、ステップＳ６２に進み、次のグループメンバの処理を行うようにする。
【０１９１】
このように、近隣者通知装置１０は、保護者からの要求に応じて、児童の周囲の状況を把握する。そして、通知メッセージを保護者用端末４０に送信する。
次に、図２２のステップＳ６６，Ｓ６９，Ｓ７１，Ｓ７４，Ｓ７６の処理について順に詳細に説明する。まず、図２２のステップＳ６６の、周りの人の有無判定処理について説明する。
【０１９２】
図２３は、周りの人の有無判定処理のフローチャートである。
［ステップＳ８１］近隣者通知装置１０のＣＰＵ１１は、ワークエリアに読み出されたログ情報の現時点の情報から無線ＩＤタグのタグ番号を順次検出する。
【０１９３】
［ステップＳ８２］近隣者通知装置１０のＣＰＵ１１は、ワークエリアの現時点のログ情報からタグ番号を検出できたか否かを判断する。タグ番号が検出できた場合、児童の周りに人が存在すると判断して、処理を終了する。タグ番号が抽出できなかった場合、ステップＳ８３に進む。
【０１９４】
［ステップＳ８３］近隣者通知装置１０のＣＰＵ１１は、現時刻におけるログ情報の全てにおいて、タグ番号の検出が終了したかを判断する。現時刻におけるログ情報の全てにおいて、タグ番号の検出が終了した場合、ステップＳ８４に進む。現時刻におけるログ情報の全てにおいて、タグ番号の検出が終了していない場合、ステップＳ８１へ進み、次のログ情報におけるタグ番号の検出を行なう。
【０１９５】
［ステップＳ８４］近隣者通知装置１０のＣＰＵ１１は、児童の周りに誰もいない旨の通知メッセージを生成する。
このように、近隣者通知装置１０は、現時点でのログ情報にタグ番号が存在しているか否かによって、児童の周りに人がいるか否かの判定を行ない、児童の周りに人が誰もいなければ、児童の周りに人が誰もいない旨の通知メッセージを生成する。
【０１９６】
次に、図２２のステップＳ６９の周りに人がいるが一緒に行動していない判定処理について説明する。
図２４は、周りに人がいるが、一緒に行動していない判定処理のフローチャートである。
【０１９７】
［ステップＳ９１］近隣者通知装置１０のＣＰＵ１１は、ワークエリアに読み出されたログ情報から無線ＩＤタグのタグ番号を順次検索する。
［ステップＳ９２］近隣者通知装置１０のＣＰＵ１１は、ワークエリアのログ情報からタグ番号を抽出できたか否かを判断する。タグ番号が検出できた場合、ステップＳ９３に進む。タグ番号が検出できなかった場合、ステップＳ９６に進む。
【０１９８】
［ステップＳ９３］近隣者通知装置１０のＣＰＵ１１は、一つ前のログ情報（前周期のログ情報）にタグ番号が存在するか否かを判断する。タグ番号が存在していれば、ステップＳ９４に進む。タグ番号が存在していなければ、ステップＳ９５に進む。つまり、児童の周りにいる人が、所定時間（例えば、２Ｔ）、一緒にいるか否かを判断する。そして、所定時間一緒にいなければ（タグ番号が存在しなければ）、児童は、他の人と一緒にいるが、一緒に行動していないと判断し、ステップＳ９５に進む。これに対し、所定時間一緒にいれば（タグ番号が存在すれば）、児童は、他の児童と一緒に行動していると判断し、図のフローチャートの処理を終了するため、ステップＳ９４に進む。
【０１９９】
［ステップＳ９４］近隣者通知装置１０のＣＰＵ１１は、一定時間分（所定時間分）の過去のログ情報において、タグ番号の有無をチェックしたか否か判断する。一定時間分のログ情報において、タグ番号の有無をチェックした場合、処理を終了する。一定時間分のログ情報において、タグ番号の有無のチェックが終了していない場合、ステップＳ９３に進む。
【０２００】
［ステップＳ９５］近隣者通知装置１０のＣＰＵ１１は、抽出したタグ番号の人は、近隣者情報を通知すべき児童の周りにいるが、一緒に行動していないとして認識する。そして、ステップＳ９１に進み、次のタグ番号を抽出する。
【０２０１】
［ステップＳ９６］近隣者通知装置１０のＣＰＵ１１は、ステップＳ９５において、児童の周りにいる人として認識されたタグ番号を、個人情報ＤＢ７２を参照して、氏名に変換する。
【０２０２】
［ステップＳ９７］近隣者通知装置１０のＣＰＵ１１は、児童の周りに人はいるが、一緒に行動していない旨の通知メッセージを生成する。なお、生成したメッセージは、児童の周りにいる人の氏名が含まれており、図２１のステップＳ７７において、保護者用端末４０に送信される。
【０２０３】
このように、近隣者通知装置１０は、児童の周りに人はいるが、一緒に行動していない旨の判定を行なう。
次に、図２２のステップＳ７１の一緒にいる人の情報取得処理について説明する。
【０２０４】
図２５は、一緒にいる人の情報取得処理のフローチャートである。
［ステップＳ１０１］近隣者通知装置１０のＣＰＵ１１は、ワークエリアに読み出されたログ情報から無線ＩＤタグのタグ番号を順次検出する。
【０２０５】
［ステップＳ１０２］近隣者通知装置１０のＣＰＵ１１は、ワークエリアのログ情報からタグ番号を検出できたか否かを判断する。タグ番号が検出できた場合、ステップＳ１０３に進む。タグ番号が抽出できなかった場合、ステップＳ１０６に進む。
【０２０６】
［ステップＳ１０３］近隣者通知装置１０のＣＰＵ１１は、一つ前のログ情報（前周期のログ情報）にタグ番号が存在するか否かを判断する。タグ番号が存在していれば、ステップＳ１０４に進む。タグ番号が存在していなければ、ステップＳ１０１に進む。つまり、児童の周りにいる人が、所定時間（例えば、２Ｔ）、一緒にいるか否かを判断する。
【０２０７】
［ステップＳ１０４］近隣者通知装置１０のＣＰＵ１１は、一定時間分（所定時間分）の過去のログ情報において、タグ番号の有無をチェックしたか否かを判断する。一定時間分のログ情報において、タグ番号の有無をチェックした場合、ステップＳ１０５に進む。一定時間分のログ情報において、タグ番号の有無のチェックが終了していない場合、ステップＳ１０３に進む。
【０２０８】
［ステップＳ１０５］近隣者通知装置１０のＣＰＵ１１は、抽出されたタグ番号の人を、児童と一緒にいる人と認識する。そして、ステップＳ１０１に進み、次のタグ番号を抽出する。
【０２０９】
［ステップＳ１０６］近隣者通知装置１０のＣＰＵ１１は、児童と一緒にいる人のタグ番号が検出できたかを判断する。児童と一緒にいる人のタグ番号が検出できた場合、ステップＳ１０７に進む。児童と一緒にいる人のタグ番号が検出できなかった場合、処理を終了する。
【０２１０】
［ステップＳ１０７］近隣者通知装置１０のＣＰＵ１１は、ステップＳ１０５において、児童と一緒にいる人として認識されたタグ番号を、個人情報ＤＢ７２を参照して、氏名に変換する。
【０２１１】
［ステップＳ１０８］近隣者通知装置１０のＣＰＵ１１は、児童は他の人と一緒にいる旨の通知メッセージを生成する。なお、生成したメッセージは、ステップＳ１０７で変換された氏名が含まれており、図２１のステップＳ７７において、保護者用端末４０に送信される。
【０２１２】
このように、近隣者通知装置１０は、児童と一緒にいる人の情報を取得し、通知メッセージを生成する。
次に、図２２のステップＳ７４のグループ行動判定処理について説明する。グループ行動判定処理は、グループの人が児童の周りにいるが、一緒に行動していないという判定処理を行う。
【０２１３】
図２６は、グループ行動判定処理のフローチャートである。
［ステップＳ１１１］近隣者通知装置１０のＣＰＵ１１は、ワークエリアに読み出されたログ情報から無線ＩＤタグのタグ番号を順次検出する。
【０２１４】
［ステップＳ１１２］近隣者通知装置１０のＣＰＵ１１は、ワークエリアのログ情報からタグ番号を検出できたか否かを判断する。タグ番号が検出できた場合、ステップＳ１１３に進む。タグ番号が検出できなかった場合、ステップＳ１１７に進む。
【０２１５】
［ステップＳ１１３］近隣者通知装置１０のＣＰＵ１１は、検出したタグ番号が、グループメンバのものであるか否かを判断する。検出したタグ番号がグループメンバのものであれば、ステップＳ１１４に進む。検出したタグ番号がグループメンバのものでなければ、ステップＳ１１１に進み、次のタグ番号を検出する。
【０２１６】
［ステップＳ１１４］近隣者通知装置１０のＣＰＵ１１は、一つ前のログ情報（前周期のログ情報）にタグ番号が存在するか否かを判断する。タグ番号が存在していれば、ステップＳ１１５に進む。タグ番号が存在していなければ、ステップＳ１１６に進む。つまり、児童の周りにいるグループメンバが、所定時間（例えば、２Ｔ）、一緒にいるか否か判断する。そして、所定時間一緒にいなければ（タグ番号が存在しなければ）、児童の周りにグループメンバはいるが、一緒に行動していないと判断し、ステップＳ１１６に進む。これに対し、所定時間一緒にいれば（タグ番号が存在すれば）、児童は、グループメンバと一緒に行動していると判断し、ステップＳ１１５に進む。
【０２１７】
［ステップＳ１１５］近隣者通知装置１０のＣＰＵ１１は、一定時間分（所定時間分）の過去のログ情報において、タグ番号の有無をチェックしたか否かを判断する。一定時間分のログ情報において、タグ番号の有無をチェックした場合、処理を終了する。一定時間分のログ情報において、タグ番号の有無のチェックが終了していない場合、ステップＳ１１４へ進む。
【０２１８】
［ステップＳ１１６］近隣者通知装置１０のＣＰＵ１１は、検出したタグ番号のグループメンバは、近隣者情報を通知すべき児童の周りにいるが、一緒に行動していないと認識する。そして、ステップＳ１１１に進み、次のタグ番号を検出する。
【０２１９】
［ステップＳ１１７］近隣者通知装置１０のＣＰＵ１１は、ステップＳ１１６において、児童の周りにいるが、一緒に行動していないとして認識されたタグ番号を、個人情報ＤＢ７２を参照して、氏名に変換する。
【０２２０】
［ステップＳ１１８］近隣者通知装置１０のＣＰＵ１１は、児童の周りにグループメンバはいるが、一緒に行動していない旨の通知メッセージを生成する。なお、生成したメッセージは、ステップＳ１１７で変換された氏名が含まれており、図２１のステップＳ７７において、保護者用端末４０に送信される。
【０２２１】
このように、近隣者通知装置１０は、児童の周りにグループメンバはいるが、一緒に行動していない旨の判定を行なう。
次に、図２２のステップＳ７６の一緒にいるグループメンバの情報取得処理について説明する。
【０２２２】
図２７は、一緒にいるグループメンバの情報取得処理のフローチャートである。
［ステップＳ１２１］近隣者通知装置１０のＣＰＵ１１は、ワークエリアに読み出されたログ情報から無線ＩＤタグのタグ番号を順次検出する。
【０２２３】
［ステップＳ１２２］近隣者通知装置１０のＣＰＵ１１は、ワークエリアのログ情報からタグ番号を抽出できたか否かを判断する。タグ番号が検出できた場合、ステップＳ１２３に進む。タグ番号が検出できなかった場合、ステップＳ１２７に進む。
【０２２４】
［ステップＳ１２３］近隣者通知装置１０のＣＰＵ１１は、検出したタグ番号がグループメンバのものであるか否かを判断する。検出したタグ番号がグループメンバのものであれば、ステップＳ１２４に進む。検出したタグ番号がグループメンバのものでなければ、ステップＳ１２１に進み、次のタグ番号を検出する。
【０２２５】
［ステップＳ１２４］近隣者通知装置１０のＣＰＵ１１は、一つ前のログ情報（前周期のログ情報）にタグ番号が存在するか否かを判断する。タグ番号が存在していれば、ステップＳ１２５に進む。タグ番号が存在していなければ、ステップＳ１２１に進む。つまり、児童の周りにいるグループメンバが、所定時間（例えば、２Ｔ）、一緒にいるか否か判断する。そして、所定時間一緒にいれば（タグ番号が存在すれば）、児童は、グループメンバと一緒に行動していると判断し、ステップＳ１２５に進む。これに対し、所定時間一緒にいなければ（タグ番号が存在しなければ）、児童は、グループメンバと一緒に行動していないと判断し、ステップＳ１２１に進む。
【０２２６】
［ステップＳ１２５］近隣者通知装置１０のＣＰＵ１１は、一定時間分（所定時間分）の過去のログ情報において、タグ番号の有無をチェックしたか否かを判断する。一定時間分のログ情報において、タグ番号の有無をチェックした場合、ステップＳ１２６に進む。一定時間分のログ情報において、タグ番号の有無のチェックが終了していない場合、ステップＳ１２４に進む。
【０２２７】
［ステップＳ１２６］近隣者通知装置１０のＣＰＵ１１は、検出したタグ番号のグループメンバは、近隣者情報を通知すべき児童と一緒に行動していると認識する。そして、ステップＳ１２１へ進み、次のタグ番号を検出する。
【０２２８】
［ステップＳ１２７］近隣者通知装置１０のＣＰＵ１１は、児童と一緒に行動しているグループメンバのタグ番号が検出できたかを判断する。児童と一緒に行動しているグループメンバのタグ番号が検出できた場合、ステップＳ１２８に進む。児童と一緒に行動している人のタグ番号が検出できなかった場合、処理を終了する。
【０２２９】
［ステップＳ１２８］近隣者通知装置１０のＣＰＵ１１は、ステップＳ１２６において、児童の一緒にいるグループメンバとして認識されたタグ番号を、個人情報ＤＢ７２を参照して、氏名に変換する。
【０２３０】
［ステップＳ１２９］近隣者通知装置１０のＣＰＵ１１は、児童はグループメンバと一緒に行動している旨の通知メッセージを生成する。なお、生成したメッセージは、ステップＳ１２８で変換された氏名が含まれており、図２１のステップＳ７７において、保護者用端末４０に送信される。
【０２３１】
このように、近隣者通知装置１０は、児童と一緒に行動しているグループメンバの情報を取得し、通知メッセージを生成する。
以上が保護者からの問い合わせに応じて通知メッセージを通知する場合の動作説明である。
【０２３２】
次に、特別なタグ番号による児童の監視の停止と再開の動作について説明する。例えば、保護者が自分の子供の近くにいる場合、その子供の近隣者情報を保護者に通知する必要はない。そこで、保護者の有する無線ＩＤタグのタグ番号（以下、特別タグ番号）を、児童の有する児童用端末に登録し、児童用端末は、特別タグ番号を受信すると、近隣者情報の通知を停止するように近隣者通知装置１０に通知する。以下、この動作を、シーケンス図を用いて説明する。
【０２３３】
図２８は、近隣者情報の通知を停止する近隣者通知装置、児童用端末、および保護者用端末のシーケンス図である。
［ステップＳ１３１］保護者用端末４０は、保護者からの操作を受付けて、自己が有する無線ＩＤタグのタグ番号（特別タグ番号）を近隣者通知装置１０に送信する。なお、以下では、保護者用端末４０のタグ番号を‘０００Ｅ’（‘富士陽子’のタグ番号）とする。
【０２３４】
［ステップＳ１３２］近隣者通知装置１０のＣＰＵ１１は、個人情報ＤＢ７２の‘富士太郎’‘富士花子’（‘富士陽子’の子供）の特別ＩＤタグ番号の欄に、保護者用端末４０から送信された特別タグ番号を格納する。
【０２３５】
［ステップＳ１３３］近隣者通知装置１０のＣＰＵ１１は、通信インターフェース１６を介して、個人情報ＤＢ７２に格納した特別タグ番号‘０００Ｅ’を、‘富士太郎’‘富士花子’の所有する児童用端末に送信する。
【０２３６】
［ステップＳ１３４］児童用端末のＣＰＵ３０ａは、受信した特別タグ番号を、記憶部３０ｂに記憶する。児童用端末のＣＰＵ３０ａは、以後、記憶部３０ｂに記憶した特別タグ番号を受信すると、近隣者通知装置１０に対し、センシングしたタグ番号の送信を停止するとともに、監視の停止（近隣者情報の通知停止）を通知する。
【０２３７】
［ステップＳ１３５］児童用端末のＣＰＵ３０ａは、通信部３０ｇを介して、近隣者通知装置１０に対し、特別タグ番号を記憶した旨を通知する。
［ステップＳ１３６］近隣者通知装置１０のＣＰＵ１１は、通信インターフェース１６を介して、児童用端末が特別タグ番号を記憶した旨を保護者用端末４０に対し通知する。
【０２３８】
［ステップＳ１３７，Ｓ１３８］児童用端末のＣＰＵ３０ａは、無線ＩＤタグセンサ部３０ｃによって、周囲の無線ＩＤタグをセンシングし、そのタグ番号を、通信部３０ｇを介して近隣者通知装置１０に送信する。
【０２３９】
なお、図に示す無線ＩＤタグ１０１ａ〜１０１ｃは、‘富士陽子’が所持する保護者用端末４０の無線ＩＤタグを示している。センサ範囲１０２ａ〜１０２ｃは、‘富士太郎’‘富士花子’の児童用端末がセンシングできる範囲を示している。無線ＩＤタグ１０１ａ〜１０１ｃが、センサ範囲１０２ａ〜１０２ｃの図中右側に移動すれば、‘富士太郎’‘富士花子’の児童用端末の無線ＩＤタグセンサ部３０ｃは、‘富士陽子’の無線ＩＤタグをセンシングできることを示す。
【０２４０】
したがって、ステップＳ１３７，Ｓ１３８においては、‘富士太郎’‘富士花子’の児童用端末は、無線ＩＤタグのセンシング結果を近隣者通知装置１０に送信する。
［ステップＳ１３９］図に示すように、‘富士陽子’の無線ＩＤタグ１０１ｂは、‘富士太郎’‘富士花子’の児童用端末がセンシングできる範囲内に入っている。したがって、‘富士太郎’‘富士花子’の児童用端末は、近隣者通知装置１０に対し、監視の停止を通知する。
【０２４１】
［ステップＳ１４０］近隣者通知装置１０のＣＰＵ１１は、児童用端末から、監視の停止通知を受信すると、その旨を、保護者用端末４０に通知する。
［ステップＳ１４１］図に示すように、‘富士陽子’の無線ＩＤタグ１０１ｂは、‘富士太郎’‘富士花子’の児童用端末がセンシングできない範囲にある。したがって、‘富士太郎’‘富士花子’の児童用端末は、周囲の無線ＩＤタグのセンシングを再開するとともに、近隣者通知装置１０に対し、監視の再開（近隣者情報の通知再開）を通知する。
【０２４２】
［ステップＳ１４２］近隣者通知装置１０のＣＰＵ１１は、児童用端末から監視の再開を受信すると、その旨を保護者用端末４０に通知する。
［ステップＳ１４３，Ｓ１４４］児童用端末のＣＰＵ３０ａは、無線ＩＤタグセンサ部３０ｃによって、周囲の無線ＩＤタグをセンシングし、そのタグ番号を、通信部３０ｇを介して近隣者通知装置１０に送信する。
【０２４３】
このように、保護者が自分の子供の近くにいる場合、その子供の近隣者情報を保護者に通知する必要はないので、児童用端末は、特別タグ番号を受信すると、監視の停止を近隣者通知装置１０に通知する。これによって、保護者が自分の子供の近くにいる場合、その子供の近隣者情報は保護者に通知されなくなる。
【０２４４】
また、近隣者通知装置１０が、児童用端末３０〜３４から受信したタグ番号により、児童の周囲に児童の保護者がいるか否か判断して、保護者へ児童の周囲の情報を通知するのを停止することもできる。
【０２４５】
なお、上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disc）などがある。
【０２４６】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０２４７】
プログラムを実行するコンピュータは、例えば可搬型記録媒体に記録されたプログラムまたはサーバコンピュータから転送されたプログラムを自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０２４８】
（付記１）  被監視者の近隣者の情報を監視者に通知する近隣者通知プログラムにおいて、
コンピュータを、
前記被監視者が所持する、前記近隣者が所持する無線ＩＤタグを検出する被監視者端末から、前記無線ＩＤタグのタグ情報を受信するタグ情報受信手段、
前記タグ情報に対応して、前記近隣者の近隣者情報が記憶された近隣者情報記憶手段から、前記タグ情報受信手段が受信した前記タグ情報に対応する前記近隣者情報を取得する近隣者情報取得手段、
前記近隣者情報を含むメッセージを前記監視者が所持する監視者端末に送信するメッセージ送信手段、
として機能させることを特徴とする近隣者通知プログラム。
【０２４９】
（付記２）  前記コンピュータを、さらに、
前記タグ情報を記憶するタグ情報記憶手段、
前記タグ情報記憶手段に所定時間同じ前記タグ情報が記憶されている場合、前記メッセージに、前記被監視者は前記タグ情報を有する前記近隣者と一緒にいる旨の情報を含める情報付加手段、
として機能させることを特徴とする付記１記載の近隣者通知プログラム。
【０２５０】
（付記３）  前記コンピュータを、さらに、
前記タグ情報を記憶するタグ情報記憶手段、
前記タグ情報記憶手段に前記タグ情報が記憶されているが、所定時間記憶されていない場合、前記メッセージに、前記被監視者の周りに前記タグ情報を有する近隣者がいるが、一緒に行動していない旨の情報を含める情報付加手段、
として機能させることを特徴とする付記１記載の近隣者通知プログラム。
【０２５１】
（付記４）  前記コンピュータを、さらに、
前記タグ情報を記憶するタグ情報記憶手段、
前記タグ情報記憶手段に前記タグ情報が一定時間記憶されなかった場合、前記メッセージに、前記被監視者は一人でいる旨の情報を含める情報付加手段、
として機能させることを特徴とする付記１記載の近隣者通知プログラム。
【０２５２】
（付記５）  前記被監視者は、前記無線ＩＤタグを所持する他の前記被監視者とグループ管理され、
前記メッセージには、前記被監視者がグループ内の前記被監視者と一緒に行動しているか否かの旨の情報が含まれることを特徴とする付記１記載の近隣者通知プログラム。
【０２５３】
（付記６）  前記メッセージ送信手段は、前記被監視者の状況が前記近隣者情報を送信すべき状況になったとき、前記メッセージを送信することを特徴とする付記１記載の近隣者通知プログラム。
【０２５４】
（付記７）  前記メッセージ送信手段は、前記監視者端末からの問い合わせに応じて、前記メッセージを送信することを特徴とする付記１記載の近隣者通知プログラム。
（付記８）  被監視者の近隣者の情報を監視者に通知する近隣者通知装置の近隣者通知方法において、
タグ情報受信手段によって、前記被監視者が所持する、前記近隣者が所持する無線ＩＤタグを検出する被監視者端末から、前記無線ＩＤタグのタグ情報を受信し、
近隣者情報取得手段によって、前記タグ情報に対応して、前記近隣者の近隣者情報が記憶された近隣者情報記憶手段から、前記タグ情報受信手段が受信した前記タグ情報に対応する前記近隣者情報を取得し、
メッセージ送信手段によって、前記近隣者情報を含むメッセージを前記監視者が所持する監視者端末に送信する、
ことを特徴とする近隣者通知方法。
【０２５５】
（付記９）  被監視者が所持する被監視者端末において、
近隣者が所持する無線ＩＤタグのタグ情報を受信するタグ情報受信手段と、
前記近隣者の近隣者情報を監視者の監視者端末に送信する近隣者通知装置に、前記タグ情報を送信するタグ情報送信手段と、
前記被監視者を監視する前記監視者の監視者タグ情報を記憶した監視者タグ情報記憶手段と、
前記監視者タグ情報が受信された場合、前記タグ情報の送信を停止するとともに前記近隣者通知装置に対し、前記近隣者情報の通知を停止するように要求する近隣者情報停止手段と、
を有することを特徴とする被監視者端末。
【図面の簡単な説明】
【０２５６】
【図１】近隣者通知プログラムの概要を説明する図である。
【図２】近隣者通知装置のシステム構成例を示す図である。
【図３】近隣者通知装置のハードウェア構成例を示した図である。
【図４】児童用端末のハードウェア構成例を示した図である。
【図５】保護者情報ＤＢのデータ構成例を示した図である。
【図６】個人情報ＤＢのデータ構成例を示した図である。
【図７】グルーピング管理情報ＤＢのデータ構成例を示した図である。
【図８】ログＤＢのデータ構成例を示した図である。
【図９】児童が一人で行動している場合の保護者用端末に表示される近隣者情報の一例を示した図である。
【図１０】児童が他の児童とともに行動している場合の保護者用端末に表示される近隣者情報の一例を示した図である。
【図１１】児童の周りに人がいるが、一緒に行動していない場合の保護者用端末に表示される近隣者情報の一例を示した図である。
【図１２】児童の周りに人はいないが、一人で行動していない場合の保護者用端末に表示される近隣者情報の一例を示した図である。
【図１３】グループ管理される児童がグループから離れて行動している場合の保護者用端末に表示される近隣者情報の一例を示した図である。
【図１４】通知メッセージの送信タイミングとその内容を説明するためのログＤＢを示した図である。
【図１５】通知メッセージの自動通知を行なう場合の近隣者通知装置、児童用端末、および保護者用端末のシーケンス図である。
【図１６】通知メッセージ処理のフローチャートである。
【図１７】一人判定処理のフローチャートである。
【図１８】グループ判定処理のフローチャートである。
【図１９】通知メッセージ送信処理のフローチャートである。
【図２０】通知メッセージを問い合わせに応じて行なう場合の近親者通知装置および保護者用端末のシーケンス図である。
【図２１】通知メッセージ処理のフローチャートである。
【図２２】通知メッセージ処理のフローチャートである。
【図２３】周りの人の有無判定処理のフローチャートである。
【図２４】周りに人がいるが、一緒に行動していない判定処理のフローチャートである。
【図２５】一緒にいる人の情報取得処理のフローチャートである。
【図２６】グループ行動判定処理のフローチャートである。
【図２７】一緒にいるグループメンバの情報取得処理のフローチャートである。
【図２８】近隣者情報の通知を停止する近隣者通知装置、児童用端末、および保護者用端末のシーケンス図である。
【符号の説明】
【０２５７】
１  コンピュータ
１ａ  タグ情報受信手段
１ｂ  近隣者情報記憶手段
１ｃ  近隣者情報取得手段
１ｄ  メッセージ送信手段
２  被監視者端末
３  監視者端末
４ａ，４ｂ  無線ＩＤタグ
【図１】
0004704208.tif 000002
【図２】
0004704208.tif 000003
【図３】
0004704208.tif 000004
【図４】
0004704208.tif 000005
【図５】
0004704208.tif 000006
【図６】
0004704208.tif 000007
【図７】
0004704208.tif 000008
【図８】
0004704208.tif 000009
【図９】
0004704208.tif 000010
【図１０】
0004704208.tif 000011
【図１１】
0004704208.tif 000012
【図１２】
0004704208.tif 000013
【図１３】
0004704208.tif 000014
【図１４】
0004704208.tif 000015
【図１５】
0004704208.tif 000016
【図１６】
0004704208.tif 000017
【図１７】
0004704208.tif 000018
【図１８】
0004704208.tif 000019
【図１９】
0004704208.tif 000020
【図２０】
0004704208.tif 000021
【図２１】
0004704208.tif 000022
【図２２】
0004704208.tif 000023
【図２３】
0004704208.tif 000024
【図２４】
0004704208.tif 000025
【図２５】
0004704208.tif 000026
【図２６】
0004704208.tif 000027
【図２７】
0004704208.tif 000028
【図２８】
0004704208.tif 000029